(57)【要約】【課題】ワイヤハーネスのスプライス部収納具の汎用性を高める。【解決手段】ワイヤハーネスの幹線から引き出される複数のスプライス部をまとめて保持するスプライス部の収納具であって、伸縮性を有するゴムまたはエラストマーからなる保持ブロックを設け、該保持ブロックにスプライス部差込穴を多数間隔をあけて凹設し、これら各スプライス部差込穴を押し広げながら上記スプライス部をそれぞれ差し込みで保持している。また、上記保持ブロックを収納する硬質樹脂の蓋付きケースを設けると共に、該ケースの周壁の対向辺に一対の突出部を設け、一方の突出部の上端に蓋をヒンジ結合すると共に、該押さえ蓋の先端と他方の突出部との間に蓋閉鎖時にロック結合する係止部と被係止部とを設け、蓋の閉鎖時に発生する上記ケースの周壁上端と押さえ蓋との間に隙間より上記スプライス部に接続する電線を引き出している。【選択図】  図１
2004356066.tif 000002
【特許請求の範囲】
【請求項１】
ワイヤハーネスの幹線から引き出される複数のスプライス部をまとめて保持するスプライス部の収納具であって、
伸縮性を有するゴムまたはエラストマーからなる保持ブロックを設け、該保持ブロックにスプライス部差込穴を多数間隔をあけて凹設し、これら各スプライス部差込穴を押し広げながら上記スプライス部をそれぞれ差し込みで保持していることを特徴とするスプライス部の収納具。
【請求項２】
上記保持ブロックを収納する硬質樹脂の押さえ蓋付きケースを設けると共に、該ケースの周壁の対向辺に一対の突出部を設け、一方の突出部の上端に押さえ蓋をヒンジ結合すると共に、該押さえ蓋の先端と他方の突出部との間に蓋閉鎖時にロック結合する係止部と被係止部とを設け、
上記押さえ蓋の閉鎖時に発生する上記ケースの周壁上端と押さえ蓋との間に隙間より上記スプライス部に接続する電線を引き出す構成としている請求項１に記載のスプライス部の収納具。
【発明の詳細な説明】
【０００１】
【発明の属する技術分野】
本発明は、ワイヤハーネスを構成する電線群に形成しているスプライス部をまとめて収納する収納具に関するものである。
【０００２】
【従来の技術】
自動車に配索されるワイヤハーネスや、各種機器の間に配線されるワイヤハーネスでは、該ワイヤハーネスを構成する電線群の間で分岐回路を形成する場合、図４に示すように、電線同士をスプライス接続している。該スプライス接続は、接続する電線の絶縁被覆を皮剥して芯線を露出させ、この露出させた芯線同士を半田付け、抵抗溶接、或いは圧着端子で接続してスプライス部３を形成している。該スプライス部４はテープ４を巻き付けて絶縁被覆している。このスプライス部３はワイヤハーネスＷ／Ｈの幹線１の外周部に配置して、幹線１と共にテープ５を巻き付けて固定している。
【０００３】
しかしながら、上記のようにスプライス部３を幹線１の外周に配置して幹線と共にテープ巻して固定する場合、スプライス部３の巻きつけ箇所が膨出することによりワイヤハーネスＷ／Ｈの幹線１が肥大化する。そのため、ワイヤハーネスＷ／Ｈの配索スペースが余分に必要となるが、近年の自動車の高機能化や各種機器の小型化等によりワイヤハーネス配索スペースが狭くなっているため、配線スペースがとれない場合がある。
【０００４】
上記問題に関し、特開平８−１４８２０１号では、図５（Ａ）（Ｂ）に示すように、スプライス部３をまとめて収納する収納ポケット７を複数個並設した樹脂ケース６が提案されている。詳しくは、この樹脂ケース６の収納ポケット７に絶縁処理していないスプライス部３を挿入して収納した後、該樹脂ケース６の側壁に形成した孔８から、各収納ポケット７に連通するストッパーピン９を挿入し、スプライス部３に接続された電線２の間に該ストッパーピン９を挿着し、スプライス部３の抜け止めを図る構成としている。
これにより、スプライス部３の絶縁処理作業や幹線１へのテープ巻きつけ作業が不要となるのみでなく、複数のスプライス部３をまとめた樹脂ケース６をワイヤハーネス配索箇所の近傍の空きスペースに配設することにより、幹線１をスリム化し、ワイヤハーネス配索スペースの無駄を解消している。
【０００５】
【特許文献１】
特開平８−１４８２０１号公報
【０００６】
【発明が解決しようとする課題】
しかしながら、上記樹脂ケース６は硬質で、該樹脂ケースに設けられた収納ポケット７は変形できないため、スプライス部３の大きさ、該スプライス部に接続された電線本数の多少、電線サイズの大小や、これらの組み合わせによる多種多様な形態を取るスプライス部に対応できない問題がある。
【０００７】
本発明は上記問題に鑑みてなされたものであり、多様なスプライス部の形態、サイズに対応できるスプライス部の収納具をを提供することを課題としている。
【０００８】
【課題を解決するための手段】
上記課題を解決するために、本発明は、ワイヤハーネスの幹線から引き出される複数のスプライス部をまとめて保持するスプライス部の収納具として、
伸縮性を有するゴムまたはエラストマーからなる保持ブロックを設け、該保持ブロックにスプライス部差込穴を多数間隔をあけて凹設し、これら各スプライス部差込穴を押し広げながら上記スプライス部をそれぞれ差し込みで保持していることを特徴とするスプライス部の収納具を提供している。
【０００９】
上記保持ブロックに形成するスプライス差込穴は上面より底部近傍まで凹設し、貫通させていない。このように、ゴムまたはエラストマーから保持ブロックを形成し、該保持ブロックにスプライス部差込穴を多数設けておくと、該スプライス部差込穴がスプライス部の形状および寸法に応じて拡大および変形し、かつ、差し込まれてスプライス部を弾圧保持できるため、この保持ブロックで形状および寸法の相違するスプライス部をまとめて保持することができる。
【００１０】
上記保持ブロックを収納する硬質樹脂の押さえ蓋付きケースを設けると共に、該ケースの周壁の対向辺に一対の突出部を設け、一方の突出部の上端に押さえ蓋をヒンジ結合すると共に、該押さえ蓋の先端と他方の突出部との間に蓋閉鎖時にロック結合する係止部と被係止部とを設け、
上記押さえ蓋の閉鎖時に発生する上記ケースの周壁上端と押さえ蓋との間に隙間より上記スプライス部に接続する電線を引き出す構成としている。
【００１１】
上記のように、スプライス部の収納具を保持ブロックとケースとの内外部材からなる二重構成とすることにより、外部材の剛質樹脂製ケースで、スプライス部が差し込まれるゴムまたはエラストマーからなる保持ブロックを保護することができる。
また、上記スプライス部差込穴にスプライス部が差し込まれた保持ブロックを押さえ蓋とケース底面との間に挟みこんで保持しているため、ピン等の別部材を用いることなく、スプライス部が収納具から抜け落ちを規制することができる。従って、部品点数を削減することができると共に、部品紛失による作業効率悪化も防ぐことができる。
さらに、スプライス部に接続する電線を、押さえ蓋とケース上端の隙間で安定保持しながら外方へ引き出すことができる。
【００１２】
【発明の実施の形態】
以下、本発明の実施形態を図面を参照して説明する。
図１乃至図３は、本発明の実施形態に係るスプライス部収納具１０を示し、ゴム製の保持ブロック１１と、該保持ブロック１１を硬質樹脂製の蓋付きケース１２とからなる。
【００１３】
保持ブロック１１には、上面から下面近傍まで上下方向に凹設したスプライス部差込穴（以下、差込穴と略称する）１８を所要間隔をあけて多数並設している。これら差込穴１８は全て同一の内径を有する穴としている。
また、保持ブロック１１の側壁上部を外方へ突出させ、上記ケース１２の本体１３の周壁上端面に係止するフランジ部１９を形成している。
【００１４】
上記ケース１２の本体１３は、保持ブロック１１を収容する形状の上方開口のケースである。ケース本体１３の対向する一対の側壁１３ａ、１３ｂの中央部には、図２に示すように、突出部１５ａ、１５ｂを設けている。これら突出部１５ａ、１５ｂはケース本体１３内に収容する保持ブロック１１の上面よりも上方へ突出させ、一方の突出部１５ａの上端縁にヒンジ部１６を介して押さえ蓋１４を開閉自在に連設している。該押さえ蓋１４の先端には係止爪１７ａを形成すると共に、他方の突出部１５ｂの外側には被係止部１７ｂを形成し、該押さえ蓋１４とケース本体１３とを閉鎖状態でロックできる構成としている。
【００１５】
上記構成のスプライス部収納具１０に、ワイヤハーネスの幹線より引き出されている複数のスプライス部３を収容するときは、まず、図３（Ａ）に示すように、任意の位置の差込穴１８にスプライス部３を一つずつ挿入し、図３（Ｂ）に示すように、スプライス部３が差込穴１８の内部に完全に収容される状態にする。このとき、電線本数の多少や電線径の大小等によって各スプライス部３のサイズが相違したり、半田付け、圧着、溶接等のスプライスの種類の違いによって各スプライス部３の形状が相違しても、差込穴１８は拡径および変形形自在であるため、多様な形態のスプライス部３を差し込むことができる。且つ、差し込まれたスプライス部３には差込穴１８の内周面が弾性接触し、差込穴１８内よりスプライス部３が離脱しないように確実に保持することができる。
【００１６】
次に、図３（Ｂ）に示すように、差込穴１８の上端開口１８ａから引き出された電線２を屈曲させて、保持ブロック１１の上面に沿わせてケース１２より外方へ引き出している。このように全スプライス部３から引き出された電線２を屈曲した後に、図３（Ｃ）に示すように、押さえ蓋１４を閉じて、係止爪１７ａを被係止部１７ｂに係止し閉鎖状態でロックする。
【００１７】
これにより、電線２は屈曲状態で保持ブロック１１と押さえ蓋１４との間に挟まれ、スプライス部３の抜け落ちを規制できる。また、ケース本体１３の側壁に形成した突出部１５ａ、１５ｂにより、押さえ蓋１４と保持ブロック１１の上面との間に隙間２０が形成されるため、電線２を押さえ蓋１４によって過剰に圧迫することなく安定保持しながら、収納具クス１０の外部へと引き出すことが出来る。
【００１８】
なお、本発明は上記実施形態に限定するものではなく、保持ブロックをゴムに代えてエラストマーで形成してもよい。また、保持ブロックに設ける差込穴は全て同一径とせず、径を多少代えて、大径穴、中径穴、小径穴を設けておいてもよい。
【００１９】
【発明の効果】
以上の説明より明らかなように、本発明では、伸縮性を有するゴムまたはエラストマーで形成した保持ブロックに差込穴を凹設しているため、スプライス部の形態や寸法が相違しても差込穴を押し広げてあるいは変形させてスプライス部を挿入でき、かつ、挿入されたスプライス部を弾性保持することが出来る。
このように、形態、寸法が相違する多数のスプライス部をまとめて保持ブロックで収納することができ、スプライス部保持具の汎用性を高めることができる。
【００２０】
また、上記保持ブロックを硬質樹脂製の押さえ蓋付きケース内部に収容しているため、保持ブロックの保護が図れると共に、保持ブロックにスプライス部を収容後、電線を保持ブロックの上面に沿って屈曲し、その上から押さえ蓋を閉じてロックすることにより、別部材を用いることなく、スプライス部の抜け止めおよび電線の安定保持も図ることができる。
【図面の簡単な説明】
【図１】本発明に実施形態に係るスプライス部収納具の分解斜視図である。
【図２】図１に示すスプライス部収納具の閉鎖状態を示す正面図である。
【図３】図１に示すスプライス部収納具にスプライス部を収容する作業手順を示す図であり、（Ａ）（Ｂ）は部分断面図であり、（Ｃ）は斜視図である。
【図４】従来例の図である。
【図５】（Ａ）（Ｂ）は他の従来例の図である。
【符号の説明】
Ｗ／Ｈ  ワイヤハーネス
２  電線
３  スプライス部
１０  スプライス部収納具
１１  保持ブロック
１２  ケース
１３  ケース本体
１４  押さえ蓋
１５ａ、１５ｂ  突出部
１８  スプライス部差込穴
【図１】
2004356066.tif 000003
【図２】
2004356066.tif 000004
【図３】
2004356066.tif 000005
【図４】
2004356066.tif 000006
【図５】
2004356066.tif 000007